(57)【要約】【課題】  所定の情報の適切な取得を可能とする記録再生装置を提供する。【解決手段】  キーワードに関連する関連単語を関連付けて１つのデータ構造に構築した単語検索情報を、同等の関連度合いの集合で複数記憶するテーブル構造の小分類記憶領域、中分類記憶領域および大分類記憶領域を構築する。キーワードおよび関連度合いの入力を認識すると、入力にて取得した関連度合いに応じて記憶領域を特定し、取得したキーワードに基づいて単語検索情報を検索し、関連単語を検出する。検出した関連単語およびキーワードに基づいて番組情報を選出し、録画予約のためのリスト情報を作成する。【選択図】  図４
2006048202.tif 000002
【特許請求の範囲】
【請求項１】
情報の内容に関する内容情報に基づいて入力されたキーワードに対応する内容の前記情報を情報取得手段により取得させる情報取得装置であって、
単語に関する単語情報および前記単語に関連する関連単語に関する関連単語情報を有し１つのデータ構造に構築された単語検索情報を、前記関連単語情報における前記単語に関連する度合いが異なる集合でそれぞれ複数記憶するテーブル構造に構築された複数の記憶領域を備えた記憶手段と、
キーワードに関するキーワード情報およびこのキーワードに所定の単語が関連する度合いに関する関連度合い情報を取得する条件情報取得手段と、
前記取得した関連度合い情報に基づいて、前記記憶手段の複数の記憶領域のうち前記取得した関連度合い情報の関連度合いに対応する集合の記憶領域を選出する関連度合い設定手段と、
前記取得したキーワード情報のキーワードに関連する関連単語情報を、前記関連度合い設定手段により選出された前記記憶領域の単語検索情報に基づいて検索する関連単語検索手段と、
前記検出された関連単語情報の関連単語を前記取得したキーワード情報のキーワードとともに前記情報取得手段にて前記情報を取得させるための前記キーワードとして設定する取得条件設定手段と、
を具備したことを特徴とした情報取得装置。
【請求項２】
請求項１に記載の情報取得装置であって、
前記記憶手段の記憶領域は、前記単語および前記関連単語の関連度合いの強さが異なる集合で前記単語検索情報を複数記憶する
ことを特徴とした情報取得装置。
【請求項３】
請求項１または請求項２に記載の情報取得装置であって、
前記記憶手段は、所定の単語に対して同義となる同義語に関する同義語情報を前記関連単語情報とした小分類記憶領域、所定の単語に対して類義となる類義語に関する類義語情報を前記関連単語情報とした中分類記憶領域、および、所定の単語に対して連想される連想語情報を前記関連単語情報とした大分類記憶領域のうちの少なくともいずれか２つ以上の記憶領域を備えた
ことを特徴とした情報取得装置。
【請求項４】
請求項１ないし請求項３のいずれかに記載の情報取得装置であって、
前記関連度合い設定手段は、前記条件情報取得手段により取得した関連度合い情報の関連度合いに対応する集合の記憶領域を選出するとともに、前記関連度合い情報の関連度合いより強い関連度合いに対応する集合の記憶領域を選出する
ことを特徴とした情報取得装置。
【請求項５】
情報の内容に関する内容情報に基づいて入力されたキーワードに対応する内容の前記情報を情報取得手段により取得させる情報取得装置であって、
単語に関する単語情報、前記単語に関連する関連単語に関する関連単語情報および前記関連単語の関連する度合いに関する関連度合い情報を有し１つのデータ構造に構築された単語検索情報を複数記憶するテーブル構造に構築された記憶手段と、
キーワードに関するキーワード情報およびこのキーワードに所定の単語が関連する度合いに関する関連度合い情報を取得する条件情報取得手段と、
前記取得した関連度合い情報に対応する関連度合い情報が関連付けられた前記記憶手段の単語検索情報を検索する関連度合い設定手段と、
前記取得したキーワード情報のキーワードに関連する関連単語情報を、前記関連度合い設定手段により検出された前記単語検索情報に基づいて検索する関連単語検索手段と、
前記検出された関連単語情報の関連単語を前記取得したキーワード情報のキーワードとともに前記情報取得手段にて前記情報を取得させるための前記キーワードとして設定する取得条件設定手段と、
を具備したことを特徴とした情報取得装置。
【請求項６】
請求項１ないし請求項５のいずれかに記載の情報取得装置であって、
前記関連度合い情報は、前記単語を含む前記内容情報に含まれる関連単語の出現頻度に基づいて設定された
ことを特徴とした情報取得装置。
【請求項７】
請求項１ないし請求項６のいずれかに記載の情報取得装置であって、
前記情報取得手段にて所定の内容の前記情報を取得させる旨の要求情報を取得する要求情報取得手段を具備し、
前記条件情報取得手段は、前記要求情報の取得を認識すると、前記情報を取得するためのキーワードおよび関連度合いの入力を促す設定画面を表示手段に画面表示させ、前記設定画面にしたがって前記キーワードおよび関連度合いが入力されることにより前記キーワード情報および前記関連度合い情報を取得する
ことを特徴とした情報取得装置。
【請求項８】
請求項７に記載の情報取得装置であって、
前記取得条件設定手段にて設定された関連単語情報に基づいて前記情報取得手段にて前記情報を取得させる制御をする情報取得制御手段を具備した
ことを特徴とした情報取得装置。
【請求項９】
請求項８に記載の情報取得装置であって、
前記情報取得制御手段は、前記情報の内容に関する内容情報に基づいて、前記情報取得手段により前記関連単語情報に対応する内容の前記情報を特定させこの特定された前記情報を取得させる制御をする
ことを特徴とした情報取得装置。
【請求項１０】
請求項１ないし請求項９のいずれかに記載の情報取得装置であって、
前記取得条件設定手段は、前記関連単語検索手段にて検出された前記関連単語情報を、入力操作により選択および修正のうちの少なくともいずれか一方を可能に表示手段に一覧表示させ、前記入力操作による前記選択および前記修正のうちの少なくともいずれか一方の実施により特定される関連単語情報を前記キーワードとして設定する
ことを特徴とした情報取得装置。
【請求項１１】
請求項１ないし請求項１０のいずれかに記載の情報取得装置であって、
前記単語検索情報を記憶するサーバ装置からネットワークを介して取得して前記記憶手段の少なくともいずれかの記憶領域に記憶させる記憶制御手段を具備した
ことを特徴とした情報取得装置。
【請求項１２】
請求項１１に記載の情報取得装置であって、
前記記憶制御手段は、前記記憶手段の記憶領域に記憶されている前記単語検索情報と異なる前記単語検索情報が前記サーバ装置に記憶されていることを認識すると、前記サーバ装置から前記単語検索情報を取得して前記記憶手段に記憶させる制御をする
ことを特徴とした情報取得装置。
【請求項１３】
入力される単語に関する単語情報および前記単語に関連する関連単語に関する関連単語情報から抽出される検索キーワードに基づいて、入力された前記単語に対応する内容の情報を情報取得手段により取得する情報取得装置であって、
前記単語に対応する前記関連単語情報の関連度合いが異なる集合となる状態で前記関連単語情報が複数の記憶領域に分かれて記憶された記憶手段と、
前記複数の記憶領域のうちのいずれか１つの記憶領域を選択する関連度合い設定手段と、
前記関連度合い設定手段により選択された前記記憶領域の関連単語情報に基づいて、取得した前記単語情報に関連する関連単語を検索する関連単語検索手段と、
前記検索された関連単語を、入力された前記単語とともに前記情報を取得させるための前記検索キーワードとして設定する取得条件設定手段と、
を具備したことを特徴とした情報取得装置。
【請求項１４】
請求項１３に記載の情報取得装置であって、
前記単語情報および前記単語情報に関連する度合いを示す関連度合い情報を取得する条件情報取得手段を具備し、
前記関連度合い設定手段は、取得した前記関連度合い情報に基づいて、前記複数の記憶領域のうち取得した前記関連度合い情報の関連度合いに対応する集合の記憶領域を選択する
ことを特徴とした情報取得装置。
【請求項１５】
演算手段により、所定の内容に関する内容情報に基づいて入力されたキーワードに対応する内容の前記情報を情報取得手段により取得させる情報取得方法であって、
前記演算手段は、
キーワードに関するキーワード情報およびこのキーワードに所定の単語が関連する度合いに関する関連度合い情報を取得し、
単語に関する単語情報および前記単語に関連する関連単語に関する関連単語情報を有し１つのデータ構造に構築された単語検索情報を、前記関連単語情報における前記単語に関連する度合いが異なる集合でそれぞれ複数記憶するテーブル構造に構築された複数の記憶領域を備えた記憶手段における前記記憶領域のうち、前記取得した関連度合い情報の関連度合いに対応する集合の記憶領域を選出し、
この選出した記憶領域の単語検索情報に基づいて、前記取得したキーワード情報のキーワードに関連する関連単語情報を検索し、
この検索により検出した関連単語情報の関連単語を、前記取得したキーワード情報のキーワードとともに前記情報取得手段にて前記情報を取得させるための前記キーワードとして設定する
ことを特徴とする情報取得方法。
【請求項１６】
演算手段により、所定の内容に関する内容情報に基づいて入力されたキーワードに対応する内容の前記情報を情報取得手段により取得させ情報取得方法であって、
前記演算手段は、
キーワードに関するキーワード情報およびこのキーワードに所定の単語が関連する度合いに関する関連度合い情報を取得し、
単語に関する単語情報、前記単語に関連する関連単語に関する関連単語情報および前記関連単語の関連する度合いに関する関連度合い情報を有し１つのデータ構造に構築された単語検索情報を複数記憶するテーブル構造に構築された記憶手段に基づいて、前記取得した関連度合い情報に対応する関連度合い情報が関連付けられた前記単語検索情報を検索し、
この検索により検出した前記関連単語情報に基づいて、前記取得したキーワード情報のキーワードに関連する関連単語情報を検索し、
この検索により検出した関連単語情報の関連単語を、前記取得したキーワード情報のキーワードとともに前記情報取得手段にて前記情報を取得させるための前記キーワードとして設定する
ことを特徴とする情報取得方法。
【請求項１７】
請求項１５または請求項１６に記載の情報取得方法を演算手段に実行させる
ことを特徴とした情報取得プログラム。
【発明の詳細な説明】
【技術分野】
【０００１】
本発明は、所定の内容の情報を取得するための制御をする情報取得装置、その方法、および、そのプログラムに関する。
【背景技術】
【０００２】
従来、例えば放送番組を記録する記録装置として、所望の番組を自動的に録画予約する装置が知られている。このような記録装置として、番組の内容に関する電子番組案内に基づいて、利用者が設定した録画したい番組に関するキーワードに対応する番組を自動的に録画する構成が知られている（例えば、特許文献１参照）。この特許文献１に記載のものは、ユーザ端末からユーザが所望する放送コンテンツを検索するための検索キーワードを取得し、正式名称に通称や俗称、省略されうる名称などが関連付けられた検索キーワード辞書データベースから、検索キーワードに関連する検索関連キーワードを検索する。そして、検索キーワードおよび検索関連キーワードに基づいて、ＥＰＧデータとのマッチングにより一致するキーワードを含むコンテンツ情報を検索一覧画面表示させる構成が採られている。
【０００３】
【特許文献１】特開２００３−２８８３５９号公報（第３頁左欄−第８頁左欄）
【発明の開示】
【発明が解決しようとする課題】
【０００４】
しかしながら、上記特許文献１に記載のようなキーワードに関連する検索関連キーワードをも検索対象とする従来の構成では、検索される候補の数が多大となり、利用者が所望する放送番組を特定することが煩雑となる問題点が一例として挙げられる。
【０００５】
ところで、キーワードがあいまいな場合のキーワード検索を実施する構成が知られている。このキーワードのあいまい検索としては、例えば特開２０００−１３２５５５号公報（特許文献２）に記載の構成が知られている。この特許文献２に記載のものは、表示装置に表示された検索ウインドウのキーワード入力欄にキーワードを入力するとともに、検索ウインドウに設けられた６段階のレベルを指定可能なキーワードのあいまいさのレベルを指定する。検索ウインドウに設けられた検索実行ボタンが押下されると、データベースから指定されたレベルのキーワードのあいまいさで、入力されたキーワードについてキーワード検索を実施する構成が採られている。この特許文献２に記載のようなキーワードのあいまい検索を番組の録画予約に利用することが考えられる。
【０００６】
しかしながら、特許文献２に記載のキーワードのあいまいさのレベルを指定可能な構成を特許文献１に記載の番組を自動的に録画予約する構成に適用しても、あいまいさに対応したキーワードに基づいて録画予約されるので、利用者が所望する放送番組が適切に録画予約されないおそれがある問題が一例として挙げられる。
【０００７】
本発明では、このような点に鑑み、所定の情報の適切な取得を可能とする情報取得装置および情報取得方法並びに情報取得プログラムを提供することを目的とする。
【課題を解決するための手段】
【０００８】
請求項１に記載の発明は、情報の内容に関する内容情報に基づいて入力されたキーワードに対応する内容の前記情報を情報取得手段により取得させる情報取得装置であって、単語に関する単語情報および前記単語に関連する関連単語に関する関連単語情報を有し１つのデータ構造に構築された単語検索情報を、前記関連単語情報における前記単語に関連する度合いが異なる集合でそれぞれ複数記憶するテーブル構造に構築された複数の記憶領域を備えた記憶手段と、キーワードに関するキーワード情報およびこのキーワードに所定の単語が関連する度合いに関する関連度合い情報を取得する条件情報取得手段と、前記取得した関連度合い情報に基づいて、前記記憶手段の複数の記憶領域のうち前記取得した関連度合い情報の関連度合いに対応する集合の記憶領域を選出する関連度合い設定手段と、前記取得したキーワード情報のキーワードに関連する関連単語情報を、前記関連度合い設定手段により選出された前記記憶領域の単語検索情報に基づいて検索する関連単語検索手段と、前記検出された関連単語情報の関連単語を前記取得したキーワード情報のキーワードとともに前記情報取得手段にて前記情報を取得させるための前記キーワードとして設定する取得条件設定手段と、を具備したことを特徴とした情報取得装置である。
【０００９】
請求項５に記載の発明は、情報の内容に関する内容情報に基づいて入力されたキーワードに対応する内容の前記情報を情報取得手段により取得させる情報取得装置であって、単語に関する単語情報、前記単語に関連する関連単語に関する関連単語情報および前記関連単語の関連する度合いに関する関連度合い情報を有し１つのデータ構造に構築された単語検索情報を複数記憶するテーブル構造に構築された記憶手段と、キーワードに関するキーワード情報およびこのキーワードに所定の単語が関連する度合いに関する関連度合い情報を取得する条件情報取得手段と、前記取得した関連度合い情報に対応する関連度合い情報が関連付けられた前記記憶手段の単語検索情報を検索する関連度合い設定手段と、前記取得したキーワード情報のキーワードに関連する関連単語情報を、前記関連度合い設定手段により検出された前記単語検索情報に基づいて検索する関連単語検索手段と、前記検出された関連単語情報の関連単語を前記取得したキーワード情報のキーワードとともに前記情報取得手段にて前記情報を取得させるための前記キーワードとして設定する取得条件設定手段と、を具備したことを特徴とした情報取得装置である。
【００１０】
請求項１３に記載の発明は、入力される単語に関する単語情報および前記単語に関連する関連単語に関する関連単語情報から抽出される検索キーワードに基づいて、入力された前記単語に対応する内容の情報を情報取得手段により取得する情報取得装置であって、前記単語に対応する前記関連単語情報の関連度合いが異なる集合となる状態で前記関連単語情報が複数の記憶領域に分かれて記憶された記憶手段と、前記複数の記憶領域のうちのいずれか１つの記憶領域を選択する関連度合い設定手段と、前記関連度合い設定手段により選択された前記記憶領域の関連単語情報に基づいて、取得した前記単語情報に関連する関連単語を検索する関連単語検索手段と、前記検索された関連単語を、入力された前記単語とともに前記情報を取得させるための前記検索キーワードとして設定する取得条件設定手段と、を具備したことを特徴とした情報取得装置である。
【００１１】
請求項１５に記載の発明は、演算手段により、所定の内容に関する内容情報に基づいて入力されたキーワードに対応する内容の前記情報を情報取得手段により取得させる情報取得方法であって、前記演算手段は、キーワードに関するキーワード情報およびこのキーワードに所定の単語が関連する度合いに関する関連度合い情報を取得し、単語に関する単語情報および前記単語に関連する関連単語に関する関連単語情報を有し１つのデータ構造に構築された単語検索情報を、前記関連単語情報における前記単語に関連する度合いが異なる集合でそれぞれ複数記憶するテーブル構造に構築された複数の記憶領域を備えた記憶手段における前記記憶領域のうち、前記取得した関連度合い情報の関連度合いに対応する集合の記憶領域を選出し、この選出した記憶領域の単語検索情報に基づいて、前記取得したキーワード情報のキーワードに関連する関連単語情報を検索し、この検索により検出した関連単語情報の関連単語を、前記取得したキーワード情報のキーワードとともに前記情報取得手段にて前記情報を取得させるための前記キーワードとして設定することを特徴とする情報取得方法である。
【００１２】
請求項１６に記載の発明は、演算手段により、所定の内容に関する内容情報に基づいて入力されたキーワードに対応する内容の前記情報を情報取得手段により取得させ情報取得方法であって、前記演算手段は、キーワードに関するキーワード情報およびこのキーワードに所定の単語が関連する度合いに関する関連度合い情報を取得し、単語に関する単語情報、前記単語に関連する関連単語に関する関連単語情報および前記関連単語の関連する度合いに関する関連度合い情報を有し１つのデータ構造に構築された単語検索情報を複数記憶するテーブル構造に構築された記憶手段に基づいて、前記取得した関連度合い情報に対応する関連度合い情報が関連付けられた前記単語検索情報を検索し、この検索により検出した前記関連単語情報に基づいて、前記取得したキーワード情報のキーワードに関連する関連単語情報を検索し、この検索により検出した関連単語情報の関連単語を、前記取得したキーワード情報のキーワードとともに前記情報取得手段にて前記情報を取得させるための前記キーワードとして設定することを特徴とする情報取得方法である。
【００１３】
請求項１７に記載の発明は、請求項１５または請求項１６に記載の情報取得方法を演算手段に実行させることを特徴とした情報取得プログラムである。
【発明を実施するための最良の形態】
【００１４】
以下に、本発明の一実施の形態を図面に基づいて説明する。本実施の形態では、本発明の情報取得制御装置を備えた情報取得装置としての記録再生装置を例示して説明するが、これに限らず、情報を記録するのみの記録装置、さらには記録装置や記録再生装置に情報を記録させる独立した情報取得制御装置、記録する構成を備えないテレビジョンなどの受信機などで情報の取得である受信を制御する情報取得装置などとしても適用できる。また、本実施の形態において、情報としてテレビ放送番組のコンテンツデータを内容情報としての放送番組の番組情報である例えばＥＰＧ（Electric Program Guide）である電子番組案内に基づいて取得する処理に関して説明するが、これに限らず、ラジオ放送番組、衛星放送番組、配信される音楽や映像などのコンテンツ、ゲームソフトウェアなどの各種プログラムなどをも情報の対象とすることができ、各情報の内容に関する内容情報に基づいて取得するいずれの構成が適用できる。また、情報の取得である記録する処理としてコンテンツを録画する処理と適宜称し、情報の処理としてコンテンツを再生する処理と適宜称して説明する。図１は、本実施の形態におけるコンテンツ記録再生システムの概略構成を示すブロック図である。図２は、番組情報テーブルの概略構成を示す模式図である。図３は、辞書記憶領域のテーブル構造の概略構成を示す模式図である。図４は、記録再生装置を構成するＣＰＵの概略構成を示す模式図である。図５は、関連度合い設定用表示画面６００の概略構成を示す模式図である。
【００１５】
〔コンテンツ記録再生システムの構成〕
図１において、１００はコンテンツ記録再生システム（以下、記録再生システムと称す）で、この記録再生システムは、例えば情報であるテレビ放送番組などのコンテンツの音声データ、映像データ、データ放送用データなどを有するコンテンツ情報であるコンテンツデータを記録したり、記録したコンテンツデータを再生したりするシステムである。そして、記録再生システム１００は、情報取得装置としての記録再生装置２００と、情報処理手段としての出力装置３００と、を備えている。
【００１６】
出力装置３００は、例えばパーソナルコンピュータ、テレビジョン、携帯電話、ＰＨＳ（Personal Handyphone System）、ＰＤＡ（Personal Digital Assistant）などが例示できる。この出力装置３００は、記録再生装置２００から出力されるコンテンツデータを受信して出力する。そして、この出力装置３００は、音声出力部３１０と、表示部３２０と、などを備えている。
【００１７】
音声出力部３１０は、例えば図示しないスピーカなどの発音手段を有している。この音声出力部３１０は、記録再生装置２００からアナログ信号として送信される音声データを発音手段から音声として出力させる処理をする。なお、発音手段は、例えば図示しないＴＶ受信機で受信したＴＶ音声データなどをも適宜出力可能である。
【００１８】
表示部３２０は、記録再生装置２００からアナログ信号として送信される映像データ、放送用データ、ＥＰＧデータ、合成データなどを表示させる。ここで、表示させる映像データとしては、コンテンツの映像などが例示できる。また、放送用データとしては、コンテンツの字幕やデータ放送などが例示できる。さらに、ＥＰＧデータとしては、例えば各チャンネルで放送されるコンテンツの番組名、内容、放送開始日時などが記載された電子番組案内である番組表などが例示できる。また、合成データとしては、コンテンツの映像に字幕を重畳させた合成映像や、データ放送と番組表とを並べた映像などが例示できる。この表示部３２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。なお、表示部３２０は、例えばＴＶ受信機で受信したＴＶ映像データなどをも適宜出力可能である。
【００１９】
記録再生装置２００は、ＴＳ（Transport Stream）として配信される音声データ、映像データ、データ放送用データなどを有するコンテンツデータを取得して記録させるとともに、出力装置３００で出力させる処理をする。また、記録再生装置２００は、記録させたコンテンツデータを適宜再生して出力装置３００で出力させる処理をする。さらに、記録したコンテンツデータを適宜自動消去する。そして、この記録再生装置２００は、条件情報取得手段としても機能し得る情報取得手段および内容情報取得手段として機能する通信手段２１０と、デマルチプレクサ（Demultiplexer；Ｄｅｍｕｘ）２２０と、デコーダ２３０と、記録再生処理手段２５０と、入力手段２６０と、記憶手段としてのハードディスクドライブ（Hard Disk Drive；ＨＤＤ）２７０と、メモリ２８０と、演算手段としての情報処理装置であるＣＰＵ（Central Processing Unit）２９０と、などを備えている。
【００２０】
通信手段２１０は、外部から入力されるコンテンツデータなどの各種情報を取得したり、取得しているコンテンツデータなどの各種情報を外部へ適宜出力したりする。そして、この通信手段２１０は、例えば地上波デジタル放送や衛星デジタル放送などの放送波を受信するアンテナ２１１が接続され、アンテナ２１１からアナログ信号やデジタル信号として送信される情報、例えば複数のＴＳから利用者により選択されたコンテンツに対応するＴＳを取得する。そして、通信手段２１０は、取得したＴＳをＤｅｍｕｘ２２０へ出力する。また、通信手段２１０は、高速データ処理が可能な例えばＩＥＥＥ（Institute of Electrical and Electronic Engineers）１３９４規格のインターフェースを有し、記録再生装置２００の外部に設けられた図示しない外部装置からデジタル信号として送信されるＴＳや後述するパーシャルＴＳなどを取得し、Ｄｅｍｕｘ２２０へ出力する。さらに、通信手段２１０は、記録再生処理手段２５０から出力されるパーシャルＴＳを取得し、適宜処理して記録再生装置２００の外部に設けられた図示しない外部装置へデジタル信号として送信する。
【００２１】
Ｄｅｍｕｘ２２０は、デコーダ２３０と、記録再生処理手段２５０と、ＣＰＵ２９０と、などが接続され、通信手段２１０からＴＳを取得し、この取得したＴＳからＴＳパケットを適宜分離して出力する。具体的には、Ｄｅｍｕｘ２２０は、ＣＰＵ２９０の制御により、音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を取得する。そして、Ｄｅｍｕｘ２２０は、これら取得した音声パケットと、映像パケットと、データパケットと、をデコーダ２３０へ出力する。また、Ｄｅｍｕｘ２２０は、ＣＰＵ２９０の制御により、取得したＴＳから選択されたコンテンツに対応した各ＴＳパケットを取得すると、これら各ＴＳパケットを一連のデータ列構造のＴＳ、すなわちパーシャルＴＳに再構成し、記録再生処理手段２５０へ出力する。さらに、Ｄｅｍｕｘ２２０は、ＣＰＵ２９０の制御により、通信手段２１０や記録再生処理手段２５０からパーシャルＴＳを適宜取得すると、このパーシャルＴＳを、音声パケットと、映像パケットと、データパケットと、に分離してデコーダ２３０へ出力する。
【００２２】
ここで、ＥＰＧデータは、通信手段２１０で取得可能な各ＴＳのテレビ放送番組などのコンテンツに関する情報が、例えばＢＭＬ（Broadcast Markup Language）やＸＭＬ（eXtensible Markup Language）などのテキスト形式で記載されたデータである。すなわち、ＥＰＧデータは、詳細は後述するが、番組名、番組の内容などに関する番組記述、放送開始日時、番組時間の長さ、チャンネル番号、ジャンル、シリーズ名などの情報が、１つのデータ構造として構成されている。
【００２３】
デコーダ２３０は、Ｄｅｍｕｘ２２０と、ＯＳＤ２４０と、ＣＰＵ２９０と、出力装置３００と、などに接続され、Ｄｅｍｕｘ２２０から取得した各パケットを適宜復調し、ＯＳＤ２４０や出力装置３００へ適宜出力する。具体的には、デコーダ２３０は、ＣＰＵ２９０の制御により、Ｄｅｍｕｘ２２０から音声パケットを取得し、この音声パケットに組み込まれた音声データを復調して、アナログ信号として出力装置３００の音声出力部３１０へ送信したり、Ｄｅｍｕｘ２２０から映像パケットを取得し、この映像パケットに組み込まれた映像データを復調して、出力装置３００へ出力したり、Ｄｅｍｕｘ２２０からデータパケットを取得し、このデータパケットに組み込まれたデータ放送用データやＥＰＧデータなどを復調して、出力装置３００へ出力する。また、デコーダ２３０は、データパケットにＥＰＧデータが組み込まれている場合、ＣＰＵ２９０の制御により、このＥＰＧデータをＨＤＤ２７０へ適宜出力する。
【００２４】
記録再生処理手段２５０は、ＨＤＤ２７０と、ＣＰＵ２９０と、などに接続されている。そして記録再生処理手段２５０は、Ｄｅｍｕｘ２２０からパーシャルＴＳを適宜取得してＨＤＤ２７０へ記憶させたり、ＨＤＤ２７０へ記憶させたパーシャルＴＳを適宜取得して通信手段２１０やＤｅｍｕｘ２２０へ出力したりする。
【００２５】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。この操作ボタンや操作つまみの入力操作の内容としては、例えば記録再生装置２００の動作内容の設定などの設定事項である。具体的には、コンテンツの録画や再生に関する設定、通信手段２１０で受信するＴＳの設定などが例示できる。また、入力手段２６０は、入力操作に応じて、録画や再生の実施を要求する旨の詳細は後述する要求情報を生成する手段としても機能する。そして、入力手段２６０は、設定事項の入力操作により、各種情報を操作信号としてＣＰＵ２９０へ送信して設定させる。ここで、入力手段２６０としては、例えば図示しないリモートコントローラ（以下、リモコンと称す）より赤外線を介して送信される各種情報を受信して、この各種情報を操作信号としてＣＰＵ２９０へ送信するリモコン受光部を備えた構成などとしてもよい。
【００２６】
ＨＤＤ２７０は、ＣＰＵ２９０などに接続されている。このＨＤＤ２７０は、例えばＡＴＡ（AT Attachment）インターフェースにより制御される。なお、ここではＨＤＤ２７０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ＨＤＤ２７０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成などとしてもよい。そして、ＨＤＤ２７０は、記録再生処理手段２５０から入力されるコンテンツのパーシャルＴＳ、すなわちコンテンツデータやＥＰＧデータなどを適宜読み出し可能に記憶する。すなわち、ＨＤＤ２７０には、コンテンツデータを記憶する図示しないデータ記憶領域と、ＥＰＧデータを図２に示すような番組情報テーブル４００として記憶する図示しないＥＰＧ記憶領域と、キーワードに関連する関連単語を検索するための単語検索情報を記憶する辞書記憶領域５００と、などを備えている。なお、これらデータ記憶領域、ＥＰＧ記憶領域、および、辞書記憶領域５００は、メモリ２８０に記憶されて構築される構成としてもよい。
【００２７】
番組情報テーブル４００は、ＯＳＤ２４０から出力されるＥＰＧデータに記載されたＥＰＧに基づいて生成される。ここで、各放送局から発信される放送波に含まれるＥＰＧは、その放送局で放送予定のテレビ放送番組を中心とした番組情報である。番組情報テーブル４００は、このような各放送局のＥＰＧを組み合わせたテーブル構造としてＥＰＧ記憶領域に記憶される。そして、この番組情報テーブル４００を記憶するＥＰＧ記憶領域は、例えば、テレビ放送番組の放送チャンネルに関するチャンネル情報４２０と、番組基本情報４３０と、などが関連付けられて１つのデータ構造として構成される内容情報でもある番組情報４１０を複数記録するテーブル構造に構成されている。
【００２８】
チャンネル情報４２０は、テレビ放送番組が放送されるチャンネルに関する情報である。このチャンネル情報４２０は、テレビ放送番組が放送されるエリアによってそれぞれ個別に設定される。
【００２９】
番組基本情報４３０は、テレビ放送番組の放送時間や、番組内容に関する詳細な情報などが記録されている。そして、番組基本情報４３０は、例えば番組ＩＤ情報４３１と、番組開始時刻情報４３２と、番組終了時刻情報４３３と、番組タイトル情報４３４と、番組サブタイトル情報４３５と、番組ジャンル情報４３６と、番組記述情報４３７と、などを備え、１つのデータ構造として構成されている。この番組基本情報４３０に記載される各種情報は、例えばテキスト形式すなわち文字列の簡単な構造で記述されている。
【００３０】
番組ＩＤ情報４３１は、テレビ放送番組を特定するために、各番組基本情報４３０に付与される固有の識別情報である。この番組ＩＤ情報４３１には、例えば、テレビ放送番組の録画予約時において、テレビ放送番組を識別するために用いられる、いわゆるＧコードなどが例示できる。また、Ｇコードに限らず、その他のテレビ放送番組を識別する固有のＩＤ情報であってもよい。
【００３１】
番組開始時刻情報４３２は、テレビ放送番組の放送が開始される予定時刻に関する情報である。この番組開始時刻情報４３２には、テレビ放送番組が放送される年月日、および時刻が記載されている。この番組開始時刻情報４３２は、後述する録画予約情報リストの生成、および記録再生処理手段２５０の記録部２５１におけるテレビ放送番組の録画開始の処理において参照される。
【００３２】
番組終了時刻情報４３３は、テレビ放送番組の放送が終了する予定時刻に関する情報である。この番組終了時刻情報４３３には、テレビ放送番組の放送が終了する年月日、および時刻が記載されている。この番組終了時刻情報４３３は、記録再生処理手段２５０の記録部２５１におけるテレビ放送番組の録画の終了処理において参照される。
【００３３】
番組タイトル情報４３４は、テレビ放送番組の番組名や、タイトル名などの名称に関する情報である。番組サブタイトル情報４３５は、テレビ放送番組のサブタイトル名などの名称に関する情報である。
【００３４】
番組ジャンル情報４３６は、テレビ放送番組を内容毎に種別であるジャンル分けした場合に、どのジャンルに属するかを記述した情報である。このジャンルとしては、例えば、「バラエティ」、「ドラマ」、「映画」、「報道」、「ニュース」、「スポーツ」などが例示できる。また、番組ジャンル情報４３６として、例えば「バラエティ」に対して、「歌謡」、「演芸」などの小分類としてさらにジャンル分けされた情報が関連付けられていてもよい。
【００３５】
番組記述情報４３７は、例えばテレビ放送番組の放送内容を簡単に説明した記述、あるいは放送番組のあらすじ、また、出演者や監督、脚本家などの個人名称などのテレビ放送番組の詳細な内容がテキスト形式で記述された情報である。
【００３６】
辞書記憶領域５００は、図３に示すように、単語に関する単語情報としてのキーワード情報５０１Ａおよびその単語に関連する関連単語に関する関連単語情報５０１Ｂを有し１つのデータ構造に構築された単語検索情報５０１を複数記憶するテーブル構造に構築されている。この単語検索情報５０１としては、例えば番組情報４１０の形態素解析により抽出した単語の組み合わせを互いに関連する関連単語としていずれか一方をキーワードとしいずれか他方を関連単語として単語検索情報５０１を構築する。また、関連度合いとしては、単語の組み合わせが番組情報４１０に出現する頻度である出現頻度に応じて設定する。なお、このように構築する場合に限らず、例えば経験則やアンケート結果に基づいて単語の組み合わせおよび関連度合いを設定するなどして単語検索情報５０１を構築するなどしてもよい。そして、辞書記憶領域５００は、単語と関連単語との関連する度合いが同等な集合毎に単語検索情報５０１を記憶している。すなわち、辞書記憶領域５００は、関連度合いが異なる複数の記憶領域、例えば図３に示すように、関連度合いが比較的に高い小分類記憶領域５１０と、関連度合いが中程度の中分類記憶領域５２０と、関連度合いが比較的に低い大分類記憶領域５３０と、を有している。
【００３７】
小分類記憶領域５１０は、所定の単語に対して直接かつ一義的な関連のある単語、いわゆる同義となる同義語が関連単語として関連付けられた単語検索情報５０１を複数記憶するテーブル構造に構築されている。この小分類記憶領域５１０における同義としては、例えばフルネームやニックネームなどの所定の単語が意味する内容の別の称呼、ローマ字読みやひらがな読みあるいはカタカナ読みなどの異なる字体の綴り、半角や全角あるいは大文字や小文字などの異なる文字形態などが例示できる。
【００３８】
中分類記憶領域５２０は、所定の単語および関連単語で互いに関連し比較的に容易に連想される単語、いわゆる類義となる類義語が関連単語として関連付けられた単語検索情報５０１を複数記憶するテーブル構造に構築されている。この中分類記憶領域５２０における類義としては、例えば単語が個人の固有名詞である場合にはその個人が属するグループや企業などの活動集合体の名称やそのニックネームあるいはその略語など、また単語が個人の固有名詞である場合にその個人が出演し広く知られている放送番組の番組名、その番組名の略語や通称などが例示できる。
【００３９】
大分類記憶領域５３０は、所定の単語および関連単語でいずれか一方向で関連して比較的に容易に連想されるが反対方向では関連性が低く連想しにくい単語、すなわち比較的に関連性が高くなく連想が可能な程度の単語が関連単語として関連付けられた単語検索情報５０１を複数記憶するテーブル構造に構築されている。この大分類記憶領域５３０における連想可能な程度としては、例えば単語が個人の固有名詞である場合にその個人が属する活動集合体の他の個人の固有名詞、単語が個人の固有名詞である場合にその個人に対して比較的に広く連想される分野やジャンルに関する単語、小分類あるいは中分類の関連単語に対応する放送番組のジャンルが同一である他の放送番組を特定する単語などなどが例示できる。
【００４０】
メモリ２８０は、通信手段２１０から出力されるＴＳから所望のコンテンツデータを取得して記録する際や、記録したコンテンツデータを再生する際に必要な各種データなどを適宜読み出し可能に記憶する。また、メモリ２８０は、例えば、手動予約録画や自動予約録画のリストに関する録画予約リスト情報や、ＨＤＤ２７０に記録されたコンテンツに対応する情報のリストに関するコンテンツ管理リスト情報、過去に記録や視聴あるいは再生されたコンテンツデータの記録履歴や視聴履歴あるいは再生履歴に基づいた履歴情報などを記憶する記憶領域も設けられている。なお、これら録画予約リスト情報、コンテンツ管理リスト情報、および履歴情報などの記憶領域は、ＨＤＤ２７０に適宜構築した構成としてもよい。さらに、メモリ２８０は、記録再生装置２００全体を動作制御するＯＳ（Operating System）上に展開される各種プログラムなどを適宜読み出し可能に記憶している。このメモリ２８０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２８０としては、ＨＤ、ＤＶＤ、光ディスクなどの着脱可能な記録媒体に読み出し可能に記憶するドライブやドライバなどを備えた構成としてもよい。
【００４１】
ＣＰＵ２９０は、各種構成が接続され、各構成の動作を制御する。このＣＰＵ２９０は、例えば図４に示すように、各種プログラムとして、条件情報取得手段としても機能する要求情報取得手段２９１と、関連度合い設定手段２９２と、関連単語検索手段２９３と、取得条件設定手段２９４と、情報取得制御手段２９５と、再生制御手段２９６と、計時手段２９７と、などを備えている。
【００４２】
要求情報取得手段２９１は、入力手段２６０における所定の入力操作で設定入力された要求情報を取得する。この要求情報は、所定の内容であるジャンルやキーワードなどに対応したコンテンツデータを通信手段２１０にて受信して取得、例えば記録あるいは視聴または再生である出力させる要求に関する情報、さらには、ＨＤＤ２７０に記憶されているコンテンツデータを削除させる要求に関する情報などである。すなわち、要求情報は、ジャンルやキーワードなどのテレビ放送番組やコンテンツデータを特定するための図示しない特定情報を備えている。また、要求情報取得手段２９１は、特定情報に基づいて手動録画か自動録画かを認識する。具体的には、ジャンルやキーワードなどに基づいて自動録画を要求する旨か、テレビ放送番組が特定されてその特定されたテレビ放送番組のコンテンツデータを録画する手動録画を要求する旨かを認識する。なお、手動録画あるいは自動録画である旨の情報を直接有した構成とするなどしてもよい。
【００４３】
さらに、要求情報取得手段２９１は、キーワードに基づいて自動録画を要求する旨の要求情報に基づいて、キーワードに関連する関連単語の関連度合いを認識する。すなわち、要求情報取得手段２９１は、要求情報に含まれる関連度合い情報を取得する。具体的には、要求情報取得手段２９１は、自動録画の要求に応じてキーワードの設定を促すキーワード設定用の画面表示を出力装置３００の表示部３２０に表示させ、さらにキーワードを認識すると、関連度合いの設定を促す関連度合い設定用の画面表示を表示部３２０に表示させ、キーワード情報および関連度合い情報を取得する。
【００４４】
ここで、キーワード設定用の画面表示としては、例えば、キーワードがテキスト入力可能なテキストボックスと、このテキストボックスに入力されたキーワードを決定し関連度合い設定用の画面表示に移行させる旨のコマンドボタンと、などを備えたフォーム構成の表示画面が例示できる。また、関連度合い設定用の画面表示としては、例えば図５に示すような関連度合い設定用表示画面６００が例示できる。この関連度合い設定用表示画面６００は、関連度合いが段階的に選択設定可能なリストボックス６０１と、ジャンルが選択設定可能なリストボックス６０２と、自動録画の際の録画条件さらには自動録画の実行をしない旨を選択設定可能なリストボックス６０３と、入力操作により設定された各項目を決定し次の項目に選択設定するために移行させるコマンドボタン６０４と、入力操作により設定する項目を前の項目に移行させるコマンドボタン６０５と、入力操作により設定された各項目の内容を決定するコマンドボタン６０６と、メニュー画面に戻るコマンドボタン６０７と、などを備えたフォームに構成されている。なお、リストボックス６０１としては、例えば小分類記憶領域５１０に対応した「小辞典」、中分類記憶領域５２０に対応した「中辞典」、大分類記憶領域５３０に対応した「大辞典」および記憶領域を利用せずにキーワードのみで放送番組を選出する旨の「辞典なし」の４段階の設定項目を有し、辞書記憶領域５００でキーワードに関連する関連単語を検索するために使用する記憶領域を設定する項目がリストアップされている。また、リストボックス６０２としては、番組ジャンル情報４３６に対応した複数の設定項目が選択可能にリストアップされている。さらに、リストボックス６０３としては、自動録画を実施しない旨の「しない」、標準で自動録画させる旨の「ＳＰ」、ＨＤＤ２７０の記憶残量に応じて録画状態を適宜変更する「ＡＵＴＯ」などの複数の設定項目がリストアップされている。
【００４５】
なお、キーワード設定用表示画面や図５に示す関連度合い設定用表示画面６００には、通信手段２１０にて現在受信している放送番組のコンテンツデータを表示する画面表示領域６１０と、その放送番組の概略内容、すなわち番組記述情報４３７をテキスト表示するテキストボックス６１１などが設けられている。さらに、図５に示す関連度合い設定用表示画面６００には、キーワード設定用表示画面で設定されたキーワードを表示するテキストボックス６１２が設けられている。そして、テキストボックス、リストボックス６０１〜６０３の選択、コマンドボタン６０４〜６０７の入力操作などは、入力手段２６０の操作ボタンや操作つまみなどの操作により実施される。
【００４６】
関連度合い設定手段２９２は、要求情報取得手段２９１により関連度合い設定用表示画面６００のリストボックス６０１で設定されて取得した関連度合い情報に対応するＨＤＤ２７０に記憶された単語検索情報５０１を検索、すなわち関連度合い情報の関連度合いに対応する集合であるＨＤＤ２７０の記憶領域を特定する処理をする。具体的には、「小辞典」が設定された場合には小分類記憶領域５１０、「中辞典」が設定された場合には、小分類記憶領域５１０および中分類記憶領域５２０、「大辞典」が設定された場合には、小分類記憶領域５１０、中分類記憶領域５２０および大分類記憶領域５３０の全てを特定し、「辞典なし」の場合には特定しない。
【００４７】
関連単語検索手段２９３は、要求情報取得手段２９１によりキーワード設定用表示画面のテキストボックスで設定されて取得したキーワード情報のキーワードに関連する関連単語情報を、関連度合い設定手段２９２により検出した所定の関連度合いとなる単語検索情報５０１に基づいて検索、すなわち関連度合い設定手段２９２により特定した記憶領域の単語検索情報５０１に基づいて検索する。例えば、キーワードとして「木村達也」が設定された場合において、図３に示すように、「小辞典」の関連度合いが設定されていると、小分類記憶領域５１０の単語検索情報５０１におけるキーワード情報５０１Ａが「木村達也」に関連付けられた「キムタツ」や「きむらたつや」などの比較的に関連度合いが高い関連単語情報５０１Ｂを検出する。また、「中分類」の関連度合いが設定されている場合には、「小辞典」が設定された場合に検出する関連単語情報５０１Ｂの他に、中分類記憶領域５２０の単語検索情報５０１における「木村達也」に関連付けられた「スマッド」や「ＳＭＡＤ」などの関連度合いが中程度の関連単語情報５０１Ｂを検出する。さらに、「大分類」の関連度合いが設定されている場合には、「中辞典」が設定された場合に検出する関連単語情報５０１Ｂの他に、大分類記憶領域５３０の単語検索情報５０１における「木村達也」に関連付けられた「スマッスマッ」、「スマッ・スマッ」、「香取慎六」などの関連度合いが比較的に低い関連単語情報５０１Ｂを検出する。
【００４８】
取得条件設定手段２９４は、関連単語検索手段２９３により検出した関連単語情報５０１Ｂの関連単語と、要求情報取得手段２９１により取得したキーワード情報５０１Ａのキーワードとを、電子番組案内に基づいて所定の内容の放送番組を取得するためのキーワードとして設定する。具体的には、キーワード情報５０１Ａのキーワードおよび検出した関連単語情報５０１Ｂの関連単語を、入力手段２６０で適宜選択さらには修正可能に出力装置３００の表示部３２０で一覧表示させる処理をする。この一覧表示は、所定のフォーム構成の表示画面に基づいて画面表示される。そして、入力手段２６０による所定の入力操作で、選択あるいは修正された関連単語を認識し、テレビ放送番組を取得するためのキーワードとして設定する。
【００４９】
情報取得制御手段２９５は、取得条件設定手段２９４にて設定された関連単語情報５０１Ｂの関連単語およびキーワード情報５０１Ａのキーワードに基づいて、通信手段２１０にてテレビ放送番組を取得させる制御をする。すなわち、情報取得制御手段２９５は、キーワードおよび関連単語を検索キーワードとしてこれらを含む番組情報４１０を検索する。具体的には、例えば形態素解析などにより番組情報４１０に含まれる単語を抽出し、これら抽出した単語と設定された関連単語およびキーワードとを比較し、キーワードおよび関連単語と同一の単語が含まれた番組情報４１０を検索する。また、情報取得制御手段２９５は、検出した番組情報４１０に基づいて対応するテレビ放送番組を受信させ、適宜記録や視聴可能に処理させる制御をする。すなわち、情報取得制御手段２９５は、番組情報４１０に基づいて、記録処理のための録画予約リスト情報や再生処理のための再生予約リスト情報などを生成して処理する。このリスト情報を生成するリスト化処理において、情報取得制御手段２９５は、検出した番組情報４１０で放送時間を認識して放送時間帯が重なるテレビ放送番組は関連度合いに基づいて選出、例えば関連度合いが高いキーワードおよび関連単語に基づいて検出した番組情報４１０を優先的に選出する。
【００５０】
再生制御手段２９６は、Ｄｅｍｕｘ２２０、デコーダ２３０、記録再生処理手段２５０などの動作を制御して、所望のコンテンツデータを出力装置３００へ出力して再生させる処理をする。具体的には、入力手段２６０における入力操作に基づく操作信号により特定、例えば出力装置３００で一覧表示されるサムネイルを選択する入力操作などにて特定されたコンテンツデータ、あるいは、いわゆるタイマ再生などあらかじめ所定時間に再生要求されているコンテンツデータをＨＤＤ２７０から読み出し、デコーダ２３０で適宜処理して出力装置３００へ出力する。
【００５１】
計時手段２９７は、例えば内部クロックなどの基準パルスに基づいて現在時刻を計時し、現在時刻情報を生成する。
【００５２】
〔コンテンツ記録再生システムの動作〕
次に、上記記録再生システム１００の動作おいてコンテンツデータの録画予約の処理について、図面を参照して説明する。図６は、録画予約処理の動作を示すフローチャートである。
【００５３】
記録再生装置２００のＣＰＵ２９０は、要求情報取得手段２９１により、入力手段２６０における利用者による入力操作により、所定のテレビ放送番組のコンテンツデータについて取得すなわち録画を要求する旨の要求情報である録画要求情報が設定入力されたか否かを判断する（ステップＳ１０１）。すなちわ、ＣＰＵ２９０は、要求情報の設定入力の待機状態となっている。そして、要求情報取得手段２９１が録画要求情報を取得すると、要求情報取得手段２９１は、録画要求情報の特定情報を認識する処理をする。
【００５４】
すなわち、要求情報取得手段２９１は、自動録画の要求に応じてキーワードの設定を促すキーワード設定用表示画面を出力装置３００の表示部３２０に表示させる。そして、キーワード設定用表示画面に基づいて、利用者が入力手段２６０の所定の入力操作にてキーワードを設定すると、要求情報取得手段２９１は、設定されたキーワードに関するキーワード情報を取得する（ステップＳ１０２）。さらに、要求情報取得手段２９１は、キーワード情報を取得、具体的にはキーワード設定用表示画面におけるキーワードを決定する旨のコマンドボタンの入力操作を認識すると、関連度合い設定用表示画面を表示部３２０に表示させる。そして、関連度合い設定用表示画面６００に基づいて、利用者が入力手段２６０の所定の入力操作にてリストボックス６０１の選択設定により関連度合いを設定すると、要求情報取得手段２９１は、設定された関連度合いに関する関連度合い情報を取得する（ステップＳ１０３）。
【００５５】
このステップＳ１０２およびステップＳ１０３における要求情報の特定情報を認識する処理の後、ＣＰＵ２９０は、関連度合い設定手段２９２により、要求情報取得手段２９１で取得した関連度合い情報の関連度合いに対応する集合であるＨＤＤ２７０の記憶領域を特定する処理をする（ステップＳ１０４）。具体的には、関連度合い設定用表示画面６００のリストボックス６０１で「小辞典」が設定された場合には小分類記憶領域５１０、「中辞典」が設定された場合には、小分類記憶領域５１０および中分類記憶領域５２０、「大辞典」が設定された場合には、小分類記憶領域５１０、中分類記憶領域５２０および大分類記憶領域５３０の全てを特定し、「辞典なし」の場合には特定しない。
【００５６】
このステップＳ１０４における記憶領域の特定処理の後、ＣＰＵ２９０は、関連単語検索手段２９３により、要求情報取得手段２９１で取得したキーワード情報のキーワードに関連する関連単語情報を、関連度合い設定手段２９２で特定した記憶領域の単語検索情報５０１に基づいて検索する（ステップＳ１０５）。例えば、「小辞典」の関連度合いが設定されている場合、小分類記憶領域５１０の単語検索情報５０１における取得したキーワード情報５０１Ａに関連付けられた比較的に関連度合いが高い関連単語情報５０１Ｂを検出する。また、「中分類」の関連度合いが設定されている場合には、「小辞典」が設定された場合に検出する関連単語情報５０１Ｂの他に、中分類記憶領域５２０の単語検索情報５０１における取得したキーワード情報５０１Ａに関連付けられた関連度合いが中程度の関連単語情報５０１Ｂを検出する。さらに、「大分類」の関連度合いが設定されている場合には、「中辞典」が設定された場合に検出する関連単語情報５０１Ｂの他に、大分類記憶領域５３０の単語検索情報５０１における取得したキーワード情報５０１Ａに関連付けられた関連度合いが比較的に低い関連単語情報５０１Ｂを検出する。
【００５７】
このステップＳ１０５における関連単語の検索処理の後、ＣＰＵ２９０は、取得条件設定手段２９４により、関連単語検索手段２９３で検出した関連単語情報５０１Ｂの関連単語と、要求情報取得手段２９１で取得したキーワード情報５０１Ａのキーワードとを、電子番組案内に基づいて所定の内容のテレビ放送番組を取得するための検索キーワードとして設定する（ステップＳ１０６）。なお、ステップＳ１０４で「辞典なし」が設定された場合には、ステップＳ１０５における関連単語を検索せず、取得したキーワード情報５０１Ａのキーワードのみをテレビ放送番組を取得するための検索キーワードとして設定する。
【００５８】
このステップＳ１０６の後、ＣＰＵ２９０は、情報取得制御手段２９５により、取得条件設定手段２９４で設定した関連単語情報５０１Ｂの関連単語およびキーワード情報５０１Ａのキーワードを含む番組情報４１０を検索する（ステップＳ１０７）。そして、ＣＰＵ２９０は、情報取得制御手段２９５により、検出した番組情報４１０に基づいて対応するテレビ放送番組を受信させ、適宜記録や視聴可能に処理させる制御する。すなわち、情報取得制御手段２９５は、番組情報４１０に基づいて記録処理のための録画予約リスト情報を生成する（ステップＳ１０８）。そして、情報取得制御手段２９５は、ＨＤＤ２７０の空き容量を適宜監視しつつ、録画予約リスト情報に従ってテレビ放送番組を通信手段２１０で受信させ、コンテンツデータを取得してＨＤＤ２７０に記憶させる処理をし（ステップＳ１０９）、処理が終了する。
【００５９】
〔コンテンツ記録再生システムの作用効果〕
上述したように、上記実施の形態では、通信手段２１０にて所定の内容に関わるテレビ放送番組のコンテンツデータを受信させる旨の要求情報、例えば録画要求情報を要求情報取得手段２９１にて取得すると、要求情報に含まれるキーワード情報５０１Ａおよびこのキーワード情報５０１Ａのキーワードに関連する関連単語が関連する度合いに関する関連度合い情報を要求情報取得手段２９１で取得する。そして、関連度合い設定手段２９２により、キーワードに関連する関連単語に関する関連単語情報５０１Ｂがキーワード情報５０１Ａに関連付けられた単語検索情報５０１を、関連度合いの異なる集合でそれぞれ記憶するテーブル構造のＨＤＤ２７０における複数の記憶領域である小分類記憶領域５１０、中分類記憶領域５２０および大分類記憶領域５３０のうち、取得した関連度合い情報の関連度合いである例えば「小辞典」、「中辞典」、「大辞典」に対応した記憶領域を選出し設定する。この設定した記憶領域に記憶された単語検索情報５０１に基づいて、取得したキーワードに関連する関連単語情報５０１Ｂを関連単語検索手段２９３にて検出する。そして、取得条件設定手段２９４により、取得したキーワード情報のキーワードとともに検出した関連単語情報５０１Ｂの関連単語を、情報取得制御手段２９５でテレビ放送番組のコンテンツデータを取得させるためのキーワードとして設定している。このため、あらかじめキーワードに所定の関連度合いの関連単語を関連付けた単語検索情報を、あらかじめ関連度合いに応じた集合毎に記憶したテーブル構造を利用するので、例えば自動録画設定するテレビ放送番組の内容の範囲が、キーワードに関連する関連単語の関連度合いにて一義的に認識されることとなり、自動録画の対象とする範囲を関連度合いで容易に設定され、利用者が所望とするテレビ放送番組を所望する範囲で適切に自動録画できる。このように、ＥＰＧデータを利用して所定のテレビ放送番組のコンテンツデータを取得するためのキーワードを設定する構成において、特に有効である。
【００６０】
そして、関連度合いに応じた集合毎で単語検索情報５０１を記憶する記憶領域として、関連度合いの強さが異なる集合で単語検索情報５０１を複数記憶するテーブル構造でそれぞれ構築している。このため、取得するテレビ放送番組の内容の範囲を関連する度合いで一義的に設定することが容易にでき、適切なテレビ放送番組の取得が容易にできる。
【００６１】
また、複数の記憶領域として、関連単語がキーワードに対して同義語となる比較的に関連度合いが高い小分類記憶領域５１０と、関連単語がキーワードに対して類義語となる関連度合いが中程度の中分類記憶領域５２０と、関連単語がキーワードに対して連想される連想語となる関連度合いが比較的に低い大分類記憶領域５３０との３つの集合で構成している。このため、取得するテレビ放送番組の内容の範囲を良好に区分けする状態に関連度合いの強さに応じた記憶領域が容易に構築でき、システム構成の簡略化や設定作業性の向上などが容易に得られるとともに、関連度合いの強さに基づいて所望する内容の範囲に良好に対応するテレビ放送番組を容易に取得できる。
【００６２】
さらに、異なる集合で区分けする状態に単語検索情報５０１を記憶させて各記憶領域を構築し、取得した関連度合いに対応する記憶領域とともに、関連度合いがより強い集合の記憶領域を、関連単語の検索対象として設定している。このため、各記憶領域で同一の単語検索情報５０１を記憶する必要がなく、記憶領域を効率的に構築でき、システム構成の簡略化や設定作業性の向上などが容易に得られる。
【００６３】
また、キーワードに関連付ける関連単語として、取得するテレビ放送番組の内容に関する番組情報４１０に基づいて抽出している。このため、適切に関連単語が関連する単語検索情報５０１を構築できる。さらに、関連単語の関連度合いを番組情報４１０における出現頻度に基づいて設定している。このため、より適切に関連単語が関連する単語検索情報５０１を構築できる。したがって、単語検索情報５０１に基づいてキーワードに関連する関連単語を関連度合いに応じて適切に取得でき、所望の内容の範囲に良好に対応したテレビ放送番組を適切に取得できる。
【００６４】
さらに、録画要求などのテレビ放送番組の取得を要求する要求情報を取得したことを認識すると、キーワード設定用表示画面および関連度合い設定用表示画面６００を表示させて、所定の内容の範囲で取得させる条件となるキーワードおよび関連度合いの入力を促し、入力によりキーワード情報および関連度合い情報を取得している。このため、利用者が所定の内容の範囲で取得させる条件の設定が容易にでき、使い勝手を向上できるとともに、簡単な構成で所定の内容の範囲を特定するための関連単語を検索する範囲を容易に設定、すなわち記憶領域の選択処理が容易にできる。
【００６５】
そして、取得したキーワードおよび関連度合いに基づいて関連単語を取得してキーワードとしてテレビ放送番組を取得するための番組情報を検索させてリスト化処理している。このため、情報取得制御手段にて所定の内容の範囲でテレビ放送番組を取得させる条件が容易に設定され、容易にその範囲で取得させることができ、円滑な処理が容易に得られる。
【００６６】
また、番組情報４１０の検索の際、放送時間を認識して放送時間帯が重なるテレビ放送番組は関連度合いに基づいて選出している。このため、より適切にコンテンツデータを取得するための番組情報４１０を適切に検出でき、テレビ放送番組を適切に取得できる。
【００６７】
そして、ＣＰＵ２９０の構成としてプログラムとしているので、所定の内容の範囲で適切にテレビ放送番組を取得させる構成が容易に得られ、利用の拡大が容易にできる。さらには、そのプログラムを記録媒体に記録し、適宜演算手段、すなわちコンピュータに読み取らせる構成とすることで、所定の内容の範囲で適切にテレビ放送番組を取得させる構成が容易に得られるとともに、プログラムを容易に取り扱いでき、利用の拡大が容易にできる。なお、演算手段としては、１つのコンピュータに限らず、複数のコンピュータをネットワーク状に組み合わせた構成、上記実施の形態のようなＣＰＵ２９０やマイクロコンピュータなどの素子、あるいは複数の電子部品が搭載された回路基板などをも含む。
【００６８】
〔実施の形態の変形例〕
なお、本発明は、上述した各実施の形態に限定されるものではなく、本発明の目的を達成できる範囲で以下に示される変形をも含むものである。
【００６９】
すなわち、上述したように、情報処理装置を備えた記録再生装置２００にコンテンツデータを出力する出力装置３００を接続したシステム構成について説明したが、情報を記録するのみの記録装置としたり、情報を記録装置や記録再生装置に記録させる処理をする情報処理装置を独立した装置構成としたり、記録する構成を備えないテレビジョンなどの受信機などで情報の取得である受信を制御する情報処理装置などとしても適用できる。また、装置構成について説明するが、例えば情報を取得する構成と記憶手段とがネットワークを介して接続された構成などのシステム構成とするなどしてもよい。
【００７０】
また、取得する情報としては、テレビ放送番組に限らず、ラジオ放送番組、衛星放送番組、配信される音楽や映像などのコンテンツ、ゲームソフトウェアなどの各種プログラムなどをも対象とすることができる。なお、他の情報を対象とする場合には、それらを取得するためにその情報の内容に関する内容情報、例えばアプリケーションソフトウェアの場合には、そのソフトウェアをダウンロードして記録するためにその内容が開示された内容情報に基づいて関連キーワードを取得する構成とすればよい。
【００７１】
そして、関連度合いが異なる集合で単語検索情報５０１を記憶する複数の記憶領域としては、小分類記憶領域５１０、中分類記憶領域５２０および大分類記憶領域５３０の３つに限らず、２つのみあるいは４つ以上設けてもよい。さらに、例えば図７に示すように、単語検索情報５０１に関連度合いに関する関連度合い情報を関連付けて複数記憶するテーブル構造、具体的にはキーワード情報７１０に、関連単語情報７２０、関連度合いの基準となる出現頻度に関する頻度情報７３０および関連度合い情報７４０を関連付けて単語検索情報５０１を構築し、複数記憶するテーブル構造の記憶手段７００を構築する。そして、利用者による入力にて取得した関連度合いに基づいて単語検索情報５０１を検出し、得られた単語検索情報５０１から関連単語を取得してもよい。このような構成によれば、関連度合いが変動しても他の記憶領域に単語検索情報５０１を移動させる必要がなく、単に関連付けた関連度合い情報を変更するのみでよく、テーブル構造の保守管理が容易にできる。
【００７２】
また、番組情報４１０の形態素解析により抽出した単語の組み合わせを互いに関連する関連単語として単語検索情報５０１を構築したが、上述したように、例えば経験則やアンケート結果により単語の組み合わせを設定するなど、いずれの組み合わせを適用してもよい。
【００７３】
さらに、単語検索情報５０１の関連度合いとしては、単語の組み合わせが番組情報４１０に出現する頻度である出現頻度に応じて設定したが、上述したように、例えば経験則やアンケート結果により適宜設定するなどしてもよい。さらには、コンテンツデータの記録履歴や視聴履歴あるいは再生履歴に基づいて関連度合いを設定、さらには適宜変更するなどしてもよい。このような構成により、利用者毎の嗜好が反映されることとなり、使い勝手を向上できる。なお、出現頻度としては、例えば単語の組み合わせが存在する番組情報４１０における全番組情報４１０中の割合や単語の全組み合わせ中の割合など、いずれの方法で設定することができる。
【００７４】
また、情報取得制御手段２９５は、単に関連単語やキーワードを含む番組情報４１０を検出する構成の他、例えば番組情報４１０の優先度を判断し、優先度に基づいて番組情報を検出してもよい。具体的には、キーワードを含む場合にはスコア値が最も高く、関連単語を含む場合では、大分類記憶領域５３０より中分類記憶領域５２０、中分類記憶領域５２０より小分類記憶領域５１０に記憶された関連単語を含む場合に順次スコア値が高くなるように各番組情報４１０に優先度を演算する。そして、情報取得制御手段２９５は、優先度のスコア値が高い順にあらかじめ設定された所定数の番組情報４１０を検出したり、ＨＤＤ２７０の記憶可能領域の容量の大きさに対応した数を検出したり、放送時間が重なる場合にスコア値が高い方を検出したりする。このような構成によれば、例えば不要に記録される放送番組のコンテンツデータにより、記憶可能領域の容量が減少してしまったり、所望のコンテンツデータを取得することが煩雑となったりするなどの不都合をより低減でき、使い勝手を向上できる。
【００７５】
また、取得条件設定手段２９４でキーワード情報５０１Ａのキーワードおよび検出した関連単語情報５０１Ｂの関連単語を、入力手段２６０で適宜選択さらには修正可能に出力装置３００の表示部３２０で一覧表示させる処理をしてもよい。このような構成によれば、利用者の嗜好が番組情報４１０の検出により反映されることとなり、より利用者の嗜好に応じた番組情報４１０が検出され、より利用者の所望する放送番組の取得ができる。
【００７６】
さらに、この検出した関連単語を一覧表示して選択や修正可能とした構成では、その選択や修正された内容の履歴を蓄積し、履歴に基づいてＨＤＤ２７０に記憶された単語検索情報５０１を自動的に更新する処理をしてもよい。具体的には、選択されることでそのキーワードに対する関連単語の関連度合いが高くなるように、関連度合い情報のスコア値を増大させたり、単語検索情報５０１を大分類記憶領域５３０から中分類記憶領域５２０、中分類記憶領域５２０から小分類記憶領域へ移動させる記憶領域の移行処理をしたり、修正された場合には、その逆に移動させる処理をしたり、修正語の単語を関連単語として新たに単語検索情報５０１を生成してＨＤＤ２７０に記憶させるなど、してもよい。このような構成によれば、キーワード検索のための関連単語のデータベースがより利用者の嗜好を反映して構築されることとなり、より使い勝手を向上できる。
【００７７】
そして、選択あるいは修正された後の関連単語を新たにキーワードに関連付けて単語検索情報５０１を生成し、適宜ＨＤＤ２７０に記憶させる構成について説明したが、新たに単語検索情報５０１を生成しなくてもよい。さらに、例えば記録再生装置２００をネットワークに接続し、ネットワークを介してサーバ装置に適宜接続し、サーバ装置に記憶された小分類記憶領域５１０、中分類記憶領域５２０および大分類記憶領域５３０の内容を読み出してＨＤＤ２７０の小分類記憶領域５１０、中分類記憶領域５２０および大分類記憶領域５３０を更新してもよい。このようなサーバ装置で適宜更新される最新の関連度合いで記憶された単語検索情報５０１を適宜取得する構成により、適切なテレビ放送番組の取得ができる。なお、ＨＤＤ２７０に記憶領域を設けることなく、例えば自動録画設定で関連単語を取得する際に、ネットワークを介して接続するサーバ装置の各記憶領域を本発明の記憶手段として利用し、サーバ装置から関連単語を取得したり、入力手段２６０で入力されたキーワードや関連度合いをサーバ装置が認識して適宜演算し関連単語を設定して記録再生装置２００へ送信して録画予約のリスト化処理を実施する構成としたり、リスト化処理までサーバ装置で実施して録画を記録再生装置２００で実施したり、サーバ装置で自動録画して入力手段２６０の入力操作により必要なテレビ放送番組をネットワークを介して記録再生装置２００で取得する構成としたりしてもよい。これらのようなサーバ装置の各記憶領域を利用する構成では、記録再生装置２００に記憶領域を構築する必要がなく、記録再生装置２００の構成を簡略化できるとともに、記憶領域を統括的にサーバ装置で管理でき、統括的な記憶領域の保守管理が容易で複数の記録再生装置２００で同一の最新の関連度合いの単語検索情報に基づいて良好にテレビ放送番組を取得でき、良好な運用が得られる。さらに、サーバ装置で演算する構成やサーバ装置でテレビ放送番組を取得する構成では、さらに記録再生装置２００の構成の簡略化が図れる。
【００７８】
ここで、ネットワークとしては、例えば、ＴＣＰ／ＩＰ（Transmission Control Protocol/Internet Protocol）などの汎用のプロトコルに基づくインターネット、イントラネット、ＬＡＮ（Local Area Network）、無線媒体により情報が送受信可能な複数の基地局がネットワークを構成する通信回線網や放送網などのネットワーク、さらには、記録再生装置２００およびサーバ装置間で情報を直接送受信するための媒体となる無線媒体自体などが例示できる。ここで、無線媒体としては、電波、光、音波、電磁波などのいずれの媒体をも適用できる。
【００７９】
また、番組情報４１０の検索として、例えば形態素解析により検索する方法に限らず、例えば文字列の同一性に基づいて検索するなど、いずれの方法が利用できる。
【００８０】
さらに、情報取得制御手段２９５にて生成するリスト情報を表示部３２０で選択あるいは修正可能に一覧表示させ、選択あるいは修正された番組情報４１０でリスト情報を確定してテレビ放送番組を取得する処理をしてもよい。このような構成により、より利用者の所望するテレビ放送番組のコンテンツデータを取得させるための適切な番組情報４１０を取得できる。
【００８１】
また、デジタル信号を取得可能な構成について説明したが、アナログ信号のみ取得可能な構成としてもよい。
【００８２】
そして、上述した各機能をプログラムとして構築したが、上述したように、例えば回路基板などのハードウェアあるいは１つのＩＣなどの素子にて構成するなどしてもよく、いずれの形態としても利用できる。なお、プログラムや別途記録媒体から読み取らせる構成とすることにより、取扱が容易で、コンピュータなどの演算手段を情報処理装置（ＣＰＵ）や記録再生装置２００などとして機能させることも用意にでき、利用の拡大が容易に図れる。
【００８３】
その他、本発明の実施の際の具体的な構造および手順は、本発明の目的を達成できる範囲で他の構造などに適宜変更できる。
【００８４】
〔実施の形態の効果〕
上述したように、上記実施の形態では、通信手段２１０にて所定の内容に関わるテレビ放送番組のコンテンツデータを受信させる旨の要求情報に含まれるキーワードに関連する関連キーワードを取得し、キーワードおよび関連キーワードの少なくともいずれか１つを含む番組情報４１０のうち、関連キーワードに関連付けられた優先度に応じた番組情報４１０を検索している。このため、受信漏れを防止するためのキーワードに関連する関連キーワードの優先度を設定しているので、関連キーワードにて検索される番組情報４１０がキーワードに優先度に従った内容が検出されることとなり、不用意に番組情報４１０が検索されることによる不都合を防止でき、適切なコンテンツデータを取得させる制御が容易に得られる。
【図面の簡単な説明】
【００８５】
【図１】本発明の情報取得装置における本実施の形態に係る記録再生システムの概略構成を示すブロック図である。
【図２】本実施の形態における番組情報テーブルの概略構成を示す模式図である。
【図３】本実施の形態における辞書記憶領域のテーブル構造の概略構成を示す模式図である。
【図４】本実施の形態におけるＣＰＵの概略構成を示す模式図である。
【図５】本実施の形態における関連度合い設定用表示画面６００の概略構成を示す模式図である。
【図６】本実施の形態における録画予約処理の動作を示すフローチャートである。
【図７】本発明の情報取得装置における他の実施の形態に係る辞書記憶領域のテーブル構造概略構成を示す模式図である。
【符号の説明】
【００８６】
２００      情報取得装置としての記録再生装置
２１０      条件情報取得手段としても機能し得る情報取得手段としての通信手段
２７０      記憶手段としてのハードディスク（ＨＤＤ）
２９０      演算手段としての情報取得制御装置であるＣＰＵ
２９１      条件情報取得手段としての要求情報取得手段
２９２      関連度合い設定手段
２９３      関連単語検索手段
２９４      取得条件設定手段
２９５      情報取得制御手段
４１０      内容情報でもある番組情報
５０１      単語検索情報
５０１Ａ，７１０      キーワード情報
５０１Ｂ，７２０      関連単語情報
５１０      記憶領域である小分類記憶領域
５２０      記憶領域である中分類記憶領域
５３０      記憶領域である大分類記憶領域
７００      記憶手段
７３０      頻度情報
７４０      関連度合い情報
【図１】
2006048202.tif 000003
【図２】
2006048202.tif 000004
【図３】
2006048202.tif 000005
【図４】
2006048202.tif 000006
【図５】
2006048202.tif 000007
【図６】
2006048202.tif 000008
【図７】
2006048202.tif 000009